(57)【特許請求の範囲】
【請求項１】
無線装置および制御装置の使用可否を登録・管理する管理装置と、
前記管理装置から前記無線装置の使用可否情報を受信し、前記無線装置に対して、使用可否の制御を行う制御装置と、
前記制御装置からの使用可否制御に基づいて動作する無線装置と、
前記無線装置が使用要求指示を受信した時刻から、通常動作時間のカウントダウンを開始し、通常動作時間のカウントダウンが終了したときに、非常動作時間のカウントダウンを開始する計時部と、
前記計時部がカウントダウンする通常動作時間の残り時間、または非常動作時間の残り時間をディスプレイに表示する表示部と、
から構成される無線通信システムにおいて、
前記制御装置は、前記管理装置へ所定の時間間隔でＶＰＮ接続を行い各種情報に関する
通信を行い、所定のＶＰＮ接続時間経過後にＶＰＮ接続を切断すると共に、
前記制御装置は、使用可否設定手段を備え、前記無線装置が前記制御装置から受信した使用要求指示に含まれる通常動作時間及び非常動作時間を内部メモリに記憶し、前記計時部に使用要求指示の受信時刻からの経過時間の計時を開始させ、前記無線装置から使用可否情報の要求があったときに、使用禁止装置に指定されているか否かを判定し、前記使用禁止装置に指定されている場合、前記制御装置による使用要求処理を禁止することを特徴とする無線通信システム。
【請求項２】
請求項１記載の無線通信システムにおいて、前記各種情報とは、前記制御装置または前記無線装置の使用可否情報であることを特徴とする無線通信システム。
【請求項３】
請求項１または２に記載の無線通信システムにおいて、前記管理装置は、前記制御装置または前記無線装置の使用可能時間の延長および使用禁止の制御を行うことを特徴とする無線通信システム。
【請求項４】
請求項１乃至３いずれか１項に記載の無線通信システムにおいて、前記所定のＶＰＮ接続時間は、前記制御装置が取得する必要な情報量の最大値に応じて決定し、自動設定または任意に設定
可能とすることを特徴とする無線通信システム。
【請求項５】
請求項１乃至４いずれか１項に記載の無線通信システムにおいて、前記管理装置から指定した個別または全ての前記制御装置は、次回接続時ＶＰＮの切断を行わない設定とすることを特徴とする無線通信システム。
【請求項６】
請求項１乃至５いずれか１項に記載の無線通信システムにおいて、前記管理装置から、前記制御装置のリモート保守を行う場合、個別または全ての前記制御装置に対して、ＶＰＮの切断を行わない設定とすることを特徴とする無線通信システム。
【請求項７】
請求項１乃至６いずれか１項に記載の無線通信システムにおいて、前記管理装置は、前記制御装置毎に前記所定の時間間隔および／または前記所定のＶＰＮ接続時間の設定を行うことを特徴とする無線通信システム。
【発明の詳細な説明】
【技術分野】
【０００１】
本発明は、ローカル接続や専用線等によるイントラネット系、または有線／無線のインターネット環境下において、管理装置、制御装置および無線装置から構成され、無線装置の盗難及び紛失を管理し、無線装置に対して使用許可時間の延長および使用禁止の制御を行うことが可能な無線通信システムに関する。
【背景技術】
【０００２】
特許文献１には、無線装置の使用開始からの経過時間が通常動作時間を経過した場合、すなわち無線装置の使用期間である最大動作時間が残りわずかになった場合に、通信相手の無線装置に警告音を発し、これにより、通信相手は、当該無線装置が通信できる時間が残り短いことを予め知ることができるので、当該無線装置の使用者との通信が途絶えた場合に、それが使用期間の経過によるものか、不測の事態によるものかを知ることができ、また、通信相手は、当該無線装置の使用者に対して、使用期間の更新を促すことができる無線通信システムが開示されている。
【０００３】
また、特許文献１の無線通信システムは、複数の無線装置１００、複数の制御装置２００、管理装置３００を備え、管理装置３００は制御装置２００とネットワークを介して接続された構成となっている。
【先行技術文献】
【特許文献】
【０００４】
【特許文献１】特開２０１３−１７９４１１号公報
【発明の概要】
【発明が解決しようとする課題】
【０００５】
しかしながら、特許文献１のような従来の無線通信システムでは、管理装置（サーバ）および制御装置（クライアント）間で常時アプリケーションの通信路（ＶＰＮ（Virtual  Private  Network）接続）が確保されている必要があり、その上でアプリケーションが必要とする通信を実施していた。
また、ＶＰＮ接続を実施する場合、ＶＰＮ接続の通信路確保のための通信パケットが増加する傾向があり、クライアント側では、無線によるインターネット環境下において、パケットデータ量および通信課金料金が増加することが問題となっていた。
【０００６】
本発明は、この様な状況に鑑みて為されたものであり、クライアント（制御装置）アプリケーションが必要とする通信を実行する場合のみ、ＶＰＮ接続／切断の制御をクライアント（制御装置）アプリケーションから実施することにより、ＶＰＮ接続時間を必要最低限の時間に制限し、データ量（パケット数）を削減することが可能な無線通信システムを提供することを目的とする。
【課題を解決するための手段】
【０００７】
上記目的を達成するために、本発明に係る無線通信システムは、無線装置および制御装置の使用可否を登録・管理する管理装置と、前記管理装置から前記無線装置の使用可否情報を受信し、前記無線装置に対して、使用可否の制御を行う制御装置と、前記制御装置からの使用可否制御に基づいて動作する無線装置と、から構成される無線通信システムにおいて、前記制御装置は、前記管理装置へ所定の時間間隔でＶＰＮ接続を行い各種情報に関する通信を行い、所定のＶＰＮ接続時間経過後にＶＰＮ接続を切断することを特徴とする。
【０００８】
また、上記目的を達成するために、本発明に係る無線通信システムは、上記した無線通信システムにおいて、前記各種情報とは、前記制御装置または前記無線装置の使用可否情報であることを特徴とする。
【０００９】
また、上記目的を達成するために、本発明に係る無線通信システムは、上記した無線通信システムにおいて、前記管理装置は、前記制御装置または前記無線装置の使用可能時間の延長および使用禁止の制御を行うことを特徴とする。
【００１０】
また、上記目的を達成するために、本発明に係る無線通信システムは、上記した無線通信システムにおいて、前記所定のＶＰＮ接続時間は、前記制御装置が取得する必要な情報量の最大値に応じて決定し、自動設定または任意に設定可能とすることを特徴とする。
【００１１】
また、上記目的を達成するために、本発明に係る無線通信システムは、上記した無線通信システムにおいて、特定の前記無線装置配備エリアで紛失・盗難が多い場合は、前記所定の時間間隔を短く設定して情報伝達の頻度を上げ、紛失・盗難が少ない場合は、前記所定の時間間隔を長く設定して情報伝達の頻度を下げることを特徴とする。
【００１２】
また、上記目的を達成するために、本発明に係る無線通信システムは、上記した無線通信システムにおいて、前記所定の時間間隔は、特定の前記無線装置配備エリアの紛失・盗難の情報を利用して自動設定または任意に設定可能とすることを特徴とする。
【００１３】
また、上記目的を達成するために、本発明に係る無線通信システムは、上記した無線通信システムにおいて、前記管理装置から指定した個別または全ての前記制御装置は、次回接続時ＶＰＮの切断を行わない設定とすることを特徴とする。
【００１４】
また、上記目的を達成するために、本発明に係る無線通信システムは、上記した無線通信システムにおいて、前記管理装置から、前記制御装置のリモート保守を行う場合、個別または全ての前記制御装置に対して、ＶＰＮの切断を行わない設定とすることを特徴とする。
【００１５】
また、上記目的を達成するために、本発明に係る無線通信システムは、上記した無線通信システムにおいて、前記管理装置は、前記制御装置毎に前記所定の時間間隔および／または前記所定のＶＰＮ接続時間の設定を行うことを特徴とする。
【発明の効果】
【００１６】
本発明によれば、クライアント（制御装置）アプリケーションが必要とする通信を実行する場合のみ、ＶＰＮ接続／切断の制御をクライアント（制御装置）アプリケーションから実施することにより、ＶＰＮ接続時間を必要最低限の時間に制限し、データ量（パケット数）を削減することが可能な無線通信システムを提供することができる。
【図面の簡単な説明】
【００１７】
【図１】本発明の一実施形態に係る無線通信システムの構成図である。
【図２】本発明の一実施形態に係る無線通信システムの機能を示す概略ブロック図である。
【図３】本発明の一実施形態に係る無線通信システムにおける制御装置と管理装置間でのＶＰＮ接続制御の処理概要を説明するための図である。
【図４】本発明の一実施形態に係る無線通信システムにおける制御装置のＶＰＮ接続制御処理のフローチャートである。
【図５】本発明の一実施形態に係る無線通信システムにおける管理装置での制御装置ＶＰＮ接続設定画面の一例を示す図である。
【発明を実施するための形態】
【００１８】
以下、本発明の一実施形態に係る無線通信システムについて説明する。
図１は、本発明の一実施形態に係る無線通信システムの構成図である。
本発明の一実施形態に係る無線通信システムは、図１に示すように、複数の無線装置１０と、複数の制御装置２０と、管理装置３０とから構成され、管理装置３０は、制御装置２０とローカル接続や専用線等によるイントラネット系、または有線／無線のインターネットにより接続されると共に、ＶＰＮ（Virtual  Private  Network）による通信路５０で接続されている。
【００１９】
管理装置３０は、使用禁止にすべき無線装置１０および制御装置２０の識別情報（使用可否識別情報）と、制御装置２０とＶＰＮ接続する際のＶＰＮ接続管理情報を記憶する。また、管理装置３０は、ＶＰＮ接続管理情報に基づいて、制御装置２０と通信路５０を介して接続され、使用可否情報を参照して、当該制御装置２０が使用禁止装置に指定されているか否かを判定し、使用禁止装置に指定されている場合、当該制御装置２０によるアクティベーション処理を禁止する。
【００２０】
制御装置２０は、近傍に存在する無線装置１０のアクティベーションを行い、無線装置１０に対し、通常動作時間（例えば７日）と非常動作時間（例えば１日）とを設定する。なお、通常動作時間と非常動作時間とを合わせた時間が、当該無線装置１０の最大動作時間であり、アクティベーションを行った時刻から最大動作時間が経過するまでの期間が、当該無線装置１０における通信の使用期間である。
また、制御装置２０は、無線装置１０からアクティベーションの要求があったときに、当該無線装置１０が使用禁止装置に指定されているか否かを判定し、使用禁止装置に指定されている場合、当該無線装置１０を使用禁止にする。
【００２１】
無線装置１０は、いずれかの制御装置２０との通信によりアクティベーションを行い、当該制御装置２０により設定された使用期間の間、他の無線装置１０との無線による音声信号の送受信を許可される。
【００２２】
図２は、本発明の一実施形態に係る無線通信システムの機能を示す概略ブロック図である。
管理装置３０は、制御部３１と、表示部３２と、操作部３３と、記憶部３４と、ネットワーク通信部３５とから構成されている。
【００２３】
記憶部３４は、使用禁止とすべき無線装置１０及び使用禁止とすべき制御装置２０の識別情報（使用可否識別情報）と、制御装置２０とＶＰＮ接続する際のＶＰＮ接続管理情報を記憶する。ここで、使用禁止とすべき制御装置２０としては、例えば、盗難にあった制御装置２０などが挙げられる。
制御部３１は、ＶＰＮ接続設定手段３１ａと、使用可否通知手段３１ｂとを備える。制御部３１は、使用可否通知手段３１ｂによって、記憶部３４が記憶する使用可否識別情報と同じ識別情報を有する制御装置２０に対して、使用の禁止を示す使用可否情報をネットワーク通信部３５により送信する。また、制御部３１は、使用可否通知手段３１ｂによって、記憶部３４が記憶していない識別情報を有する制御装置２０に対して、使用の許可を示す使用可否情報と、記憶部３４が記憶する使用禁止とすべき無線装置１０の識別情報をネットワーク通信部３５により送信する。また、制御部３１は、記憶部３４のＶＰＮ接続管理情報を基に、ネットワーク通信部３５に対して、制御装置２０とのＶＰＮ接続を指示する。
なお、制御部３１は、管理者による操作部３３から指示操作により、ＶＰＮ接続設定手段３１によって、後述する方法で、制御装置２０毎にＶＰＮ接続間隔およびＶＰＮ接続時間の設定を行い、設定したＶＰＮ接続管理情報を記憶部３４に登録させる。
【００２４】
ネットワーク通信部３５は、ＶＰＮ接続による通信路５０を介して制御装置２０との通信を行う。また、ネットワーク通信部３５は、制御装置２０から受信した可否通知情報の応答及びアクティベーション処理にかかる情報に基づいて、無線通信システムのログ情報を記憶部３４に記録する。
【００２５】
また、制御装置２０は、制御部２１と、記憶部２２と、ネットワーク通信部２３と、無線通信部２４とから構成されている。
【００２６】
ネットワーク通信部２３は、ＶＰＮ接続による通信路５０を介して管理装置３０との通信を行い、自装置の使用の可否を示す使用可否識別情報及び使用禁止とすべき無線装置１０の識別情報を受信する。ここで、使用禁止とすべき無線装置１０としては、例えば、盗難にあった無線装置１０や紛失した無線装置１０などが挙げられる。また、ネットワーク通信部２３は、受信した識別情報を記憶部２２に記録する。
記憶部２２は、使用禁止とすべき無線装置１０の識別情報を記憶する。
【００２７】
制御部２１は、アクティベート手段２１ａと、使用可否設定手段２１ｂとを備える。制御部２１は、アクティベート手段２１ａによって、無線通信部２４を介して無線装置１０からアクティベーション要求を受信する。また、制御部２１は、アクティベート手段２１ａによって、無線装置１０の識別情報が記憶部２２に記憶されていない場合に、所定の通常動作時間と非常動作時間を含むアクティベーション指示を無線通信部２４を介して送信する。
制御部２１は、使用可否設定手段２１ｂによって、ネットワーク通信部２３を介して管理装置３０から受信した自装置の使用可否識別情報に基づいて、自装置の動作制御を行う。
【００２８】
無線通信部２４は、無線装置１０間の音声通信を行うときに用いる周波数と同じ周波数で、無線装置１０との通信を行う。なお、無線通信部２４が出力する信号は、無線装置１０が音声通信に用いる信号より微弱なものである。
【００２９】
また、無線装置１０は、制御部１１と、表示部１２と、計時部１３と、音声入力部１４と、音声出力部１５と、無線通信部１６とから構成されている。
【００３０】
無線通信部１６は、アクティベーションのため、制御装置２０と無線による通信を行う。また、無線通信部１６は、計時部１３がカウントダウンを行っている間、他の無線装置１０と無線通信を行う。具体的には、計時部１３がカウントダウンを行っている間に無線装置１０の通話ボタンが押下されている場合、無線通信部１６は、音声入力部１４が入力を受け付けた音声信号を無線信号に変換して他の無線装置１０に送信する。他方、計時部１３がカウントダウンを行っている間に無線装置１０の通話ボタンが押下されていない場合、無線通信部１６は、他の無線装置１０から受信した無線信号を音声信号に変換して音声出力部１５に出力する。
【００３１】
制御部１１は、使用可否設定手段１１ａを備え、無線通信部１６が制御装置２０から受信したアクティベーション指示に含まれる通常動作時間及び非常動作時間を内部メモリに記憶し、計時部１３にアクティベーション指示（使用許可を示す情報）の受信時刻からの経過時間の計時を開始させる。なお、無線装置１０と制御装置２０との間の通信は、計時部１３のカウントダウンの有無に関わらず可能である。
【００３２】
計時部１３は、無線通信部１６がアクティベーション指示を受信した時刻から、通常動作時間のカウントダウンを開始する。また、計時部１３は、通常動作時間のカウントダウンが終了したときに、非常動作時間のカウントダウンを開始する。なお、計時部１３による計時は、図示しない内蔵時計によって行うものであり、無線装置１０の電源が遮断されている場合にも計時が継続される。
表示部１２は、計時部１３がカウントダウンする通常動作時間の残り時間、または非常動作時間の残り時間をディスプレイに表示する。
【００３３】
音声入力部１４は、マイクロフォンから音声信号の入力を受け付け、当該音声信号を無線通信部１６を介して他の無線装置１０に送信する。
音声出力部１５は、無線通信部１６が音声信号を受け付け、スピーカを介して出力する。
【００３４】
［無線通信システムでのＶＰＮ接続制御］
次に、本発明の一実施形態に係る無線通信システムにおけるＶＰＮ接続制御について、図３を参照して説明する。図３は、本発明の一実施形態に係る無線通信システムにおける制御装置と管理装置間でのＶＰＮ接続制御の処理概要を説明するための図である。
ステップＳ１０１では、制御装置２０から管理装置３０に対してＶＰＮ接続要求を行う。
ステップＳ１０２では、ＶＰＮ接続状態において、制御装置２０が管理装置３０から取得する情報は、無線装置１０および制御装置２０の使用許可／使用禁止を示す使用可否識別情報等であり、ＶＰＮ接続間隔は、管理装置３０での登録情報の更新頻度に応じて決定し、管理装置３０から制御装置２０への情報伝達及び設定により可変としてもよい。
例えば、特定の無線装置１０配備エリアで紛失・盗難が多い場合は、設定によりＶＰＮ接続間隔を短めに設定し、情報伝達の頻度を上げたり、逆に、紛失・盗難が少ない場合は、ＶＰＮ接続間隔を長めに設定する。ＶＰＮ接続間隔は、そのような特定エリアの紛失・盗難の統計情報を利用して自動設定としてもよい。
【００３５】
ステップＳ１０３では、ＶＰＮ接続確立後、制御装置２０は、管理装置３０から情報取得を行い、情報取得完了後、所定のＶＰＮ接続時間（例えば３０分）経過後ＶＰＮ切断を行う。所定のＶＰＮ接続時間は、必要なデータ量の最大値に応じて決定し、いままでの統計情報により自動設定及び可変としてもよい。
ステップＳ１０４では、ＶＰＮ切断後、所定の接続間隔（例えば８時間）経過後に、制御装置２０から管理装置３０へ再度ＶＰＮ接続要求を行う。
上記のステップＳ１０１〜Ｓ１０４を繰り返し行うようにする。
【００３６】
なお、システム構成上、管理装置３０から制御装置２０に対してＶＰＮ接続を行えない構成が考えられ、管理装置３０から指定した個別またはすべての制御装置２０は、次回接続時ＶＰＮ切断を行わないようにしてもよい。
【００３７】
［制御装置でのＶＰＮ接続制御］
次に、本発明の一実施形態に係る無線通信システムにおける制御装置のＶＰＮ接続制御処理について、図４を参照して説明する。図４は、本発明の一実施形態に係る無線通信システムにおける制御装置のＶＰＮ接続制御処理のフローチャートである。
ステップＳ２０１では、ＶＰＮ接続時間が経過しているか否かをチェックし、ＶＰＮ接続時間が経過していない場合（ＮＯ）は、処理をステップＳ２０１に戻し、ＶＰＮ接続時間が経過している場合（ＹＥＳ）は、処理をステップＳ２０２へ進める。
ステップＳ２０２では、管理装置３０に対して、ＶＰＮ接続処理を実行する。
ステップＳ２０３では、管理装置３０から情報を取得する処理を実行する。
ステップＳ２０４では、ＶＰＮ切断タイマーをセットする。なお、切断タイマーの時間は必要なデータ量の最大値や過去の統計情報に応じて自動設定する。
ステップＳ２０５では、ＶＰＮ切断時間が経過しているか否かチェックし、ＶＰＮ切断時間が経過していない場合（ＮＯ）は、処理をステップＳ２０５に戻し、ＶＰＮ接続時間が経過している場合（ＹＥＳ）は、処理をステップＳ２０６へ進める。
ステップＳ２０６では、管理装置３０に対するＶＰＮ切断処理を実行する。
ステップＳ２０７では、ＶＰＮ接続タイマーをセットする。なお、接続タイマーの時間はステップＳ２０３で取得した情報により自動設定してもよい。
【００３８】
ここで、本発明の一実施形態に係る無線通信システムにおいて、管理装置３０で制御装置２０とのＶＰＮ接続設定を行う際の設定・登録方法について、図５を参照して説明する。図５は、本発明の一実施形態に係る無線通信システムにおける管理装置での制御装置ＶＰＮ接続設定画面の一例を示す図である。
管理装置３０で制御装置２０とのＶＰＮ接続設定を行う際に、管理装置３０の表示部３２に図５に示すＶＰＮ接続設定画面５００を表示させ、操作部３３からの操作によって、制御装置２０毎に制御装置２０の装置ＩＤ５０１、ＶＰＮ接続間隔５０２およびＶＰＮ接続時間５０３の設定を行う。なお、ＶＰＮ接続間隔５０２およびＶＰＮ接続時間５０３の各フィールドは直接値を入力してもよいし、候補値をプルダウンメニュー化してその中から選択するようにしてもよい。
【００３９】
設定欄５１１に示すように、装置ＩＤ００１は、基本設定値（ＶＰＮ接続間隔：８時間、ＶＰＮ接続時間３０分）の装置である。
設定欄５１２に示すように、装置ＩＤ００２は、過去の送受信データ量が少なく、ＶＰＮ接続時間が基本設定値よりも短く自動設定された装置である。
設定欄５１３に示すように、装置ＩＤ００３は、過去の送受信データ量が多く、ＶＰＮ接続時間が基本設定値よりも長く自動設定された装置である。
設定欄５１４に示すように、装置ＩＤ００４〜００６は、過去の統計データにより、当該エリアでの紛失・盗難が少なく、ＶＰＮ接続間隔が基本設定値よりも長く自動設定された装置である。
設定欄５１５に示すように、装置ＩＤ００７〜００９は、過去の統計データにより、当該エリアでの紛失・盗難が多く、ＶＰＮ接続間隔が基本設定値よりも短く自動設定された装置である。
設定欄５１６に示すように、装置ＩＤ０１０は、管理装置３０からリモート保守を行うため、切断しない設定の装置である。
操作ボタン５２１は、自動時間設定を行う／行わないの設定を切り替えるためのチェックボックスである。
操作ボタン５２２は、設定値を変更した場合、保存するためのボタンである。
操作ボタン５２３は、設定値を変更した場合、保存しないでキャンセルするためのボタンである。
【００４０】
以上説明したように、本発明の一実施形態に係る無線通信システムによれば、クライアント（制御装置）アプリケーションが必要とする通信を実行する場合のみ、ＶＰＮ接続／切断の制御をクライアント（制御装置）アプリケーションから実施することにより、ＶＰＮ接続時間を必要最低限の時間に制限し、データ量（パケット数）を削減することが可能な無線通信システムを提供することができる。
【００４１】
また、ＶＰＮの接続／切断を制御装置から制御することにより、ＶＰＮ接続時間を必要最小限の時間に制限し、パケット量およびパケット通信料を削減することができる。
また、ＶＰＮ接続間隔やＶＰＮ接続時間の設定は、制御装置毎でも全制御装置同一としてもよく、また、過去のデータ通信量や特定の情報（警戒エリア）などに応じ、ＶＰＮ接続間隔およびＶＰＮ接続時間を手動または自動で個別に可変設定とすることができ、より細かな接続制御を行うことができる。
なお、管理装置から、制御装置のリモート保守を行う必要がある場合、全制御装置または個別の制御装置に対して、ＶＰＮ切断をせずＶＰＮ接続を継続する設定にすることもできる。
【００４２】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。
【産業上の利用可能性】
【００４３】
本発明は、複数の無線装置と、複数の制御装置と、管理装置とから構成され、制御装置と管理装置との間がＶＰＮ（Virtual  Private  Network）による通信路で接続される無線通信システムを構築するメーカで利用される。
【符号の説明】
【００４４】
１０：無線装置、１１：制御部、１１ａ：使用可否設定手段、１２：表示部、１３：計時部、１４：音声入力部、１５：音声出力部、１６：無線通信部、２０：制御装置、２１：制御部、２１ａ：アクティベート手段、２１ｂ：使用可否設定手段、２２：記憶部、２３：ネットワーク通信部、２４：無線通信部、３０：管理装置、３１：制御部、３１ａ：ＶＰＮ接続設定手段、３１ｂ：使用可否通知手段、３２：表示部、３３：操作部、３４：記憶部、３５ネットワーク通信部、５０：通信路、５００：ＶＰＮ接続設定画面、５０１：装置ＩＤ、５０２：ＶＰＮ接続間隔、５０３：ＶＰＮ接続時間、５１１，５１２，５１３，５１４，５１５，５１６：設定欄、５２１，５２２，５２３：操作ボタン。
【図１】
0006660133.tif 000002
【図２】
0006660133.tif 000003
【図３】
0006660133.tif 000004
【図４】
0006660133.tif 000005
【図５】
0006660133.tif 000006